(57)【特許請求の範囲】
【請求項１】
照明部を備え、空気清浄機能を有する照明装置において、
装置内部を通り、吸気口から吹出口に至る通風路と、
前記通風路に設けられ、前記吸気口から前記吹出口に向かう空気の流れを形成する送風機と、
前記通風路に設けられ、外周面に光触媒が塗布された基体を有し、前記基体の径が頂部から底部に向うにしたがって漸次大きくなっている光触媒塗布体と、
前記基体の前記頂部と前記底部とを通る線上の前記頂部と対向する位置に設けられ、前記光触媒に光を照射する活性化光源とを備えており、
前記光触媒塗布体が、前記送風機のファンの軸上に位置していることを特徴とする空気清浄機能を有する照明装置。
【請求項２】
前記光触媒塗布体の前記基体は、頂部が前記通風路の上流側に位置し、底部が前記通風路の下流側に位置するように設けられていることを特徴とする請求項１に記載の空気清浄機能を有する照明装置。
【請求項３】
前記活性化光源は、前記通風路における前記吸気口の下流側位置であって、前記吸気口から屈曲した後の位置に設けられ、
前記光触媒塗布体の前記基体は、頂部が前記通風路の下流側に位置し、底部が前記通風路の上流側に位置するように設けられており、
前記照明部は、前記吹出口からの空気の吹き出し方向と同一方向を照明し、
前記活性化光源は、前記通風路の上流側に向かって紫外線を照射することを特徴とする請求項１に記載の空気清浄機能を有する照明装置。
【請求項４】
前記吹出口における少なくとも一部の部材は、空気の吹出方向へ突出した延設部を有し、前記延設部には光触媒が塗布されていることを特徴とする請求項１から３のいずれか１項に記載の空気清浄機能を有する照明装置。
【請求項５】
イオンを発生し、発生したイオンを前記通風路に供給するイオン発生器を備えていることを特徴とする請求項１から４のいずれか１項に記載の空気清浄機能を有する照明装置。
【発明の詳細な説明】
【技術分野】
【０００１】
本発明は、光触媒による空気清浄機能を有する照明装置に関するものである。
【背景技術】
【０００２】
従来、特許文献１に記載されているように、省エネルギーのために光源としてＬＥＤ光源を備え、さらに光触媒による空気清浄機能を備えた照明装置が知られている。
【０００３】
具体的には、上記照明装置は、長方形の容器形状を有する導光板の４つの側面に、多数のＬＥＤチップを有するＬＥＤユニットが配置され、ＬＥＤ光源部が形成されている。これにより、上記照明装置は、面状発光するようになっている。また、上記照明装置は、容器形状の導光板の開放面（光出射面）に、光触媒が塗布された拡散シートが設けられている。これにより、拡散シートに接触する空気が除菌され、脱臭されるようになっている。
【０００４】
また、特許文献２には、光源ではなく、放電部によって生成される活性種により光触媒を活性化させる空気調和機が記載されている。
【０００５】
具体的には、上記空気調和機は、ファンによって生成される空気流の上流側に放電部を配置し、放電部の下流側に光触媒フィルタを配置し、放電部により、イオン、オゾン、ヒドロキシラジカルなどのラジカル種や、その他の励起分子（励起酸素分子、励起窒素分子、励起水分子）などの活性種を生成する。さらに、この活性種により光触媒フィルタの光触媒を活性化させ、光触媒フィルタを通過する空気中の臭気分子、菌、ウイルス等を不活化または死滅させるようになっている。
【先行技術文献】
【特許文献】
【０００６】
【特許文献１】特開２０１３−１１４８７５号公報（２０１３年６月１０日公開）
【特許文献２】特開２００６−１７３６０号公報（２００６年１月１９日公開）
【発明の概要】
【発明が解決しようとする課題】
【０００７】
しかしながら、特許文献１に記載の照明装置は、多数のＬＥＤチップを有する光源を照明用および光触媒の活性化用として共用している。すなわち、特許文献１に記載の照明装置は、光源からの照射光を拡散シートを介して外部に照射し、かつ光源からの照射光により拡散シートの光触媒を活性化させている。このため、照明光が拡散シートを通過する際に大幅に減衰することになる。この結果、光源に多数のＬＥＤチップが必要となり、大型化および重量増を招来している。
【０００８】
また、特許文献２に記載の空気調和機は、放電部によって生成される活性種により光触媒を活性化させる構成であり、活性化光源によって光触媒を活性化させるような構成と比較して、構成が複雑である。このため、小型かつ軽量化を目指す照明装置には適用し難いという問題点を有している。
【０００９】
したがって、本発明は小型かつ軽量化が可能な空気清浄機能を有する照明装置の提供を目的としている。
【課題を解決するための手段】
【００１０】
本発明の一態様にかかる空気清浄機能を有する照明装置は、上記の課題を解決するために、照明部を備え、空気清浄機能を有する照明装置において、装置内部を通り、吸気口から吹出口に至る通風路と、前記通風路に設けられ、前記吸気口から前記吹出口に向かう空気の流れを形成する送風機と、前記通風路に設けられ、外周面に光触媒が塗布された基体を有し、前記基体の径が頂部から底部に向うにしたがって漸次大きくなっている光触媒塗布体と、前記基体の前記頂部と前記底部とを通る線上の前記頂部と対向する位置に設けられ、前記光触媒に光を照射する活性化光源とを備えていることを特徴としている。
【発明の効果】
【００１１】
上記の構成によれば、照明装置は、空気清浄機能を備えた上に小型化および軽量化することができる。
【図面の簡単な説明】
【００１２】
【図１】本発明の実施形態にかかる空気清浄機能を有する照明装置の斜視図である。
【図２】図１に示した照明装置における、空気の流れ方向を示した断面図である。
【図３】図２におけるＣ−Ｃ線矢視断面図である。
【図４】図２におけるＤ−Ｄ線矢視断面図である。
【図５】図２に示した光触媒塗布体の配置状態を示す斜視図である。
【図６】図２に示した光触媒塗布体に対する活性化光源の好適な配置状態を示す説明図である。
【図７】図１に示した照明装置が備える照明部の構成を示す斜視図である。
【図８】図１に示した照明装置が備える制御系の構成を示すブロック図である。
【図９】本発明の他の実施形態にかかる空気清浄機能を有する照明装置の縦断面図である。
【図１０】本発明のさらに他の実施形態にかかる空気清浄機能を有する照明装置の縦断面図である。
【図１１】図１０に示した照明装置における前カバーの他の例を示す縦断面図である。
【発明を実施するための形態】
【００１３】
［実施形態１］
本発明の一実施形態を図面に基づいて以下に説明する。図１は本実施形態にかかる空気清浄機能を有する照明装置（以下、単に照明装置と称する）１００の斜視図、図２は図１に示した照明装置１００の縦断面図、図３は図２におけるＣ−Ｃ線矢視断面図、図４は図２におけるＤ−Ｄ線矢視断面図である。なお、以下の説明では、照明装置１００が天井のソケットに取り付けられる状態を想定して、各部材の位置関係を説明する。
【００１４】
〔照明装置１００の構成の概要〕
図１から図４に示すように、照明装置１００は、イオン発生器１、ファン（送風機）２、照明部３、ケース４、アダプタ５、光触媒塗布体５１、および活性化光源５５を備えている。すなわち、照明装置１００は、光触媒塗布体５１および活性化光源５５による空気清浄機能、並びにイオン発生器１による空気清浄機能を有している。
【００１５】
ケース４は、略円筒形状を有しており、その内部にイオン発生器１、ファン２、照明部３、光触媒塗布体５１および活性化光源５５を収容している。また、ケース４は、軸方向の両端が開口しており、ケース４の一方端には吹出口３０が設けられ、他方端には当該ケース４をアダプタ５に接続するためのコネクタ６が装着されている。
【００１６】
コネクタ６はケース４の一部を構成している。コネクタ６に設けられた引掛刃（図示せず）がアダプタ５に差し込まれて、ケース４はアダプタ５に着脱可能に取り付けられる。
【００１７】
アダプタ５は、例えばＩＥＣ−７００７に規定するランプソケットまたはランプコネクタ、ＪＩＳ  Ｃ７７０９に規定する口金を備える。本実施形態では、Ｅ形のソケットに対応した口金７を備えており、この口金７は、天井、壁、床、各種器具等の被設置面に設けられたソケットに取り付けられる。これにより、照明装置１００は、上記被設置面に取り付けられるとともに、上記ソケットを介して電力が供給される。
【００１８】
なお、本実施形態では、照明装置１００は、被設置面に設けられたソケットに取り付ける構成としているが、これに限らず、ソケット以外のローゼットタイプなどのその他の被取付部材に取り付けられる構成であってもよい。また、照明装置１００は、被設置面に取り付けられる構成に限らず、例えば、床面に載置される構成であってもよく、各種構造物等に引掛けられたり、吊り下げられたり、組み込まれたりして用いられる構成であってもよい。
【００１９】
コネクタ６を取り囲むケース４の外周面には、ケース４の周方向の全周にわたって吸気口８が形成されており、吸気口８の内面側にはフィルタ９が着脱可能に備えられている。
【００２０】
吸気口８はケース４における前面側の開口である吹出口３０と連通している。すなわち、ケース４内には、吸気口８と吹出口３０とを接続する通風路１０が形成されている。
【００２１】
通風路１０には、ファン２が設けられている。ファン２は、軸流ファンであり、回転軸が通風路１０の中心軸上に位置するようにケース４の内壁に支持されている。
【００２２】
なお、ファン２は軸流ファンに限定されるものではなく、遠心ファン、貫流ファンなどであってもよい。
【００２３】
（光触媒塗布体５１および活性化光源５５）
図５は、光触媒塗布体５１の配置状態を示す斜視図である。図５に示すように、ファン２は回転する軸部２ａの周りに複数の羽根２ｂが設けられている。軸部２ａの上面（後面）には、光触媒塗布体５１が設けられている。光触媒塗布体５１は、基体である円錐体５２を有し、この円錐体５２の底面（底部）を除く外周面に光触媒５３が塗布されたものである（図２参照）。円錐体５２すなわち光触媒塗布体５１は、ファン２の軸部２ａの上面に配置されている。
【００２４】
図２に示すように、光触媒塗布体５１の上方に設けられた支持部材５４には、円錐体５２の頂部と対向する位置、詳細には、円錐体５２の底部の中心と頂部とを通る線上における円錐体５２の頂部と対向する位置に、活性化光源５５が設けられている。活性化光源５５は、例えば紫外線を照射するＬＥＤであり、光触媒塗布体５１の外周面の光触媒５３に光を照射し、光触媒５３を活性化させる。
【００２５】
なお、光触媒塗布体５１の光触媒５３が塗布される基体は、円錐体５２に限定されず、例えば角錐体、あるいはその他の形状であってもよい。すなわち、光触媒塗布体５１の基体は、活性化光源５５と対向する頂部から底部に向うにしたがって（活性化光源５５から遠ざかるにしたがって）径が漸次大きくなる形状であればよい。
【００２６】
以上の説明から理解できるように、光触媒塗布体５１の頂部は丸型や平坦型であってもよく、さらには、円錐型でなくてもよい。例えば、半球や半紡錘形であってもよい。
【００２７】
また、基体がこのような形状である場合、活性化光源５５は、基体の頂部と基体の底部とを通る線上において、基体の頂部と対向する位置に配置される。なお、基体が円錐体５２である場合、活性化光源５５は、基体の底部（円形）の中心と頂部とを通る線（軸線）上において、基体の頂部と対向する位置に配置される。
【００２８】
図６は、光触媒塗布体５１に対する活性化光源５５の好適な配置状態を示す説明図である。活性化光源５５は、図６に示すように、光触媒塗布体５１の頂角を光源側に延長した範囲内に設置してあれば光触媒塗布体５１の全面に光が当たる。したがって、活性化光源５５の配置位置は、このように位置を選定するのが好ましい。
【００２９】
ここで、ファン２が回転すると、ケース４の周囲の空気が吸気口８からケース４内に吸い込まれる。この空気は、通風路１０の入口で半径方向の流れから軸方向の流れに向きを変え、かつ光触媒塗布体５１の外周面に沿って流れ、通風路１０の出口側へ送り出される。
【００３０】
（イオン発生器１）
イオン発生器１は、２組の放電電極と誘導電極とを有しており（いずれも図示せず）、これら各電極は樹脂製ケースに収容されている。また、樹脂製ケース内には、放電電極および誘導電極に高電圧を印加する高電圧発生回路が設けられている。イオン発生器１は通風路１０に面するように配置されており、放電電極および誘導電極に高電圧が印加されると、これら両電極間に生じる放電によりプラズマクラスター（登録商標）イオンと称されるプラスイオンＨ＋（Ｈ２Ｏ）ｍ（ｍは任意の自然数）およびマイナスイオンＯ２−（Ｈ２Ｏ）ｎ（ｎは任意の自然数）が生成され、これらイオンは通風路１０を流れる空気中に放出される。
【００３１】
プラズマクラスターイオンは、除菌効果、脱臭効果、ウイルスの作用抑制効果、および静電気抑制効果を有していることが知られている。なお、イオン発生器１は、空気中にプラズマクラスターイオンを発生するものに限らない。プラズマクラスターイオン以外の正負イオン、あるいはマイナスイオンを放出するものであっても用いることができる。
【００３２】
通風路１０に臨む上記支持部材５４には、イオン発生器１で発生したイオンを検出するイオンセンサ１１が設けられている。
【００３３】
（照明部３）
照明部３は、複数の発光素子２０と、発光素子２０が搭載された実装板２１とを備えており、通風路１０の出口付近に配置されている。すなわち、イオン発生器１と照明部３とは共通の通風路１０に沿って配置されている。
【００３４】
図７は、ケース４に装着された照明部３の構成を示す斜視図である。図７に示すように、実装板２１は、略円板状に形成された回路基板であり、ケース４の前面側の開口部近傍に配置されている。実装板２１は実装板２１の外周部分が環状の実装部２２になっており、この実装部２２にＬＥＤからなる複数の発光素子２０が一定間隔で円状に実装されている。実装部２２は、通風路１０の出口の周縁にねじにより取り付けられている。実装部２２の前面側は透光性のカバー２３に覆われている（図２参照）。
【００３５】
なお、実装板２１は特に限定されるものではないが、例えばアルミニウムなどの熱伝導性の高い材質で形成された放熱部材を備えることが好ましい。また、本実施形態では、ＬＥＤを光源とする照明部３を用いる構成について説明しているが、照明部３の構成はこれに限るものでない。
【００３６】
実装板２１の中央には、複数の橋部２５により実装部２２に連結された円板状の島部２４が設けられている。島部２４には、情報を収集したり情報を発信したりするための各種電子部品が搭載されている。上記電子部品としては、例えば、室内の人の有無を検出する人感センサ、各種の情報を報知するＬＥＤなどの報知ランプ、照度センサ、臭いセンサなどがあげられる。本実施形態において、島部２４には人感センサ２６および報知ランプ２７が搭載されている。
【００３７】
橋部２５には、プリント配線が施されており、実装部２２と島部２４とはこのプリント配線を介して電気的に接続されている。
【００３８】
島部２４および橋部２５は、図２に示すように、非透光性の前カバー２８および後カバー２９に覆われている。前カバー２８は島部２４および橋部２５の前面側を島部２４および橋部２５との間に隙間をあけて覆っており、後カバー２９に保持されている。前カバー２８の中心部は人感センサ２６の検知を妨げないように開口が設けられる。後カバー２９は島部２４および橋部２５の背面側を島部２４および橋部２５との間に隙間をあけて覆っており、ケース４の内壁に取り付けられている。これらの隙間には風が流れるようになっている。
【００３９】
実装部２２の内側の周縁は通風路１０に面している。また、実装板２１の一部である橋部２５および島部２４は通風路１０内に位置し、通風路１０内に突き出ている。
【００４０】
実装板２１における実装部２２と島部２４との間には、橋部２５によって仕切られた複数の開口部からなる吹出口３０が形成されている。吹出口３０は、通風路１０に連通しており、ファン２の回転時にイオンを含む清浄空気を吹き出すためのケース４の吹出口となる。なお、本実施形態では、送風の妨げにならないように橋部２５の本数を３本としており、吹出口からスムーズにイオンが室内に放出されるようになっている。
【００４１】
イオン発生器１で発生したイオンは、ファン２の送風により通風路１０を出口に向かって運ばれ、実装板２１の吹出口３０から照明装置１００の外部に放出される。発光素子２０は、複数の吹出口３０を取り囲むように配置され、後述する制御部４１の制御に応じて発光し、照明装置１００の前方を照明する。
【００４２】
照明装置１００では、イオンの吹出方向（放出方向）と照明部３からの光の照射方向（照明方向）とを同一方向としており、照明される領域に向けてイオンが放出されるようになっている。ただし、これに限らず、照明部３の照明方向とイオンの放出方向とが異なっていてもよい。
【００４３】
イオンセンサ１１は、イオン発生器１が発生したイオン量あるいはイオン濃度を検出する。イオン発生器１で発生したイオンはファン２の回転によりイオンセンサ１１に向かって流れ、イオンセンサ１１はイオン量あるいはイオン濃度を確実に検出することができる。
【００４４】
通風路１０の側壁にはメイン基板３１が設けられている。メイン基板３１には、ＣＰＵなどから構成される制御部４１、および各装置に電源を供給する電源装置４２などが搭載されている（後述する図８参照）。メイン基板３１と実装板２１とはリード線（図示せず）により電気的に接続されている。制御部４１は、ユーザから入力される指示や各種センサの検知結果等に応じて、イオン発生器１、ファン２、照明部３、および活性化光源５５の動作を制御する。
【００４５】
（制御系の構成）
図８は、照明装置１００における制御系の構成を示すブロック図である。図８に示すように、制御部４１には、イオン発生器１、ファン２、照明部３、報知ランプ２７、電源装置４２、操作入力部４３、人感センサ２６、イオンセンサ１１および活性化光源５５が接続されている。
【００４６】
操作入力部４３は、ユーザからの指示入力を受け付ける。操作入力部４３は、例えば、リモートコントローラを介して送信されるユーザからの指示入力を受け付けるものであってもよく、照明装置１００のアダプタ５あるいはケース４に設けられたスイッチ等の各種操作手段（図示せず）に対するユーザの指示入力を受ける構成であってもよい。
【００４７】
人感センサ２６は、照明装置１００が設置されている空間（所定範囲の空間）に人間がいるか否かを検知し、イオンセンサ１１は、イオン発生器１で発生したイオンの有無あるいは量を検知する。
【００４８】
制御部４１は、操作入力部４３を介して入力されるユーザからの指示や、人感センサ２６およびイオンセンサ１１の検知結果に基づいて電源装置４２、イオン発生器１、ファン２、照明部３、報知ランプ２７および活性化光源５５の動作を制御する。
【００４９】
例えば、制御部４１は、イオンセンサ１１がイオン無しあるいはイオン量が所定値以下であることを検出すると、イオン発生器１の動作を停止させて、報知ランプ２７を動作させる。これにより、イオン発生器１における異常の発生が報知される。
【００５０】
また、制御部４１は、人感センサ２６の検知結果に応じて、イオン発生器１、ファン２、照明部３および活性化光源５５の動作を制御する。
【００５１】
例えば、制御部４１は、人感センサ２６による検知空間に人が存在する場合には照明部３を点灯させるとともに、ファン２を駆動音が比較的静かな静音モードで駆動させる。一方、制御部４１は、人感センサ２６による検知空間に人が存在しない場合には、照明部３を消灯させるとともに、ファン２の回転数を静音モードよりも高く設定する。
【００５２】
また、制御部４１は、人感センサ２６による検知空間に人が存在する場合には活性化光源５５を消灯させる一方、人感センサ２６による検知空間に人が存在しない場合には、活性化光源５５を点灯させる。
【００５３】
（照明装置１００の動作および利点）
上記の構成において、活性化光源５５が点灯すると、光触媒塗布体５１の光触媒５３が活性化される。これにより、吸気口８からフィルタ９を介して通風路１０に取り込まれた空気は、光触媒塗布体５１の外周面に接触することにより、除菌（殺菌）および消臭され、吹出口３０から送り出される。この空気には、イオン発生器１が発生するプラスイオンおよびマイナスイオンが含まれている。
【００５４】
したがって、照明装置１００は、照明装置１００が設けられた例えば室内において、室内の空気を吸い込んだ後、送り出す動作を繰り返すことにより、室内の空気を光触媒塗布体５１によって除菌および消臭する。また、照明装置１００が送り出す空気には、イオン発生器１が発生するプラスイオンおよびマイナスイオンが含まれているので、これらイオンによって、室内の各部を除菌および消臭することができる。
【００５５】
すなわち、照明装置１００は、光触媒塗布体５１および活性化光源５５、並びにイオン発生器１を備えているので、照明装置１００の内部にて、吸い込んだ空気の除菌および消臭を行い、かつ吹き出した空気により照明装置１００の周囲の各部の除菌および消臭を行うことができる。これにより、照明装置１００が設置されている場所の空気の除菌および消臭を効率良く行うことができる。
【００５６】
また、光触媒塗布体５１の円錐体（光触媒５３が塗布される基体）５２は、活性化光源５５と対向する頂部から底部に向うにしたがって（活性化光源５５から遠ざかるにしたがって）径が漸次大きくなる形状である。したがって、１個のみの活性化光源５５によって光触媒５３を照射し、活性化させることができる。これにより、光触媒塗布体５１および活性化光源５５を備えた構成は、小型かつ軽量のものとなり、光触媒塗布体５１および活性化光源５５、並びにイオン発生器１を備えた照明装置１００は、小型かつ軽量の構成とすることができる。
【００５７】
また、光触媒塗布体５１および活性化光源５５によって空気清浄機能を得る構成は、１個の活性化光源５５によって光触媒塗布体５１の外周面の光触媒５３を照射し、光触媒５３を活性化させることができるので、低コストの構成となっている。
【００５８】
さらに、照明装置１００の通風路１０に配置されている光触媒塗布体５１は、通風路１０における空気の流れの下流側の径が上流側の径よりも漸次大きくなっている。したがって、光触媒塗布体５１の外周面には、通風路１０を流れる空気が効率よく接触できるようになっている。
【００５９】
また、制御部４１は、人感センサ２６による検知空間に人が存在する場合には、活性化光源５５を消灯させている。一方、人感センサ２６による検知空間に人が存在しない場合には、活性化光源５５を点灯させて、活性化光源５５から紫外線を活性化光源５５に照射し、活性化光源５５を活性化させている。これにより、人感センサ２６による検知空間に人が存在する場合に、照明装置１００の外部へ紫外線が漏れ出す事態を防止することができる。
【００６０】
なお、制御部４１は、ファン２に対する制御を単純化して、人感センサ２６による検知空間に人が存在する場合にはファン２を停止させ、人感センサ２６による検知空間に人が存在しない場合にはファン２を回転させる構成としてもよい。
【００６１】
また、以上の説明では、光触媒塗布体５１（円錐体５２）の外周面にのみ光触媒５３を塗布した構成について示した。しかしながら、光触媒５３は、通風路１０の壁面など、照明装置１００の内部の空気が流れる領域の壁面、ファン２の羽根２ｂなどの空気が接触する部材の表面、吹出口３０にルーバーやガラリが設けられている場合にはそれらの表面に塗布されていてもよい。あるいは、光触媒５３は、照明装置１００の外周面に塗布されていてもよい。光触媒５３の上記のような各塗布面に外光が当たる場合、光触媒５３は外光に含まれる紫外線によって活性化される。
【００６２】
また、光触媒５３が酸化チタン（白色）であり、照明装置１００の外周面の色を白色とする場合には、照明装置１００の外周面に光触媒５３を塗布した場合、光触媒５３の色は照明装置１００の外周面の色と適合する。
【００６３】
また、照明装置１００の外周面に光触媒５３を塗布した場合、照明装置１００の外周面に付着した埃に含まれる雑菌を効率よく殺菌することができる。
【００６４】
また、光触媒５３を通風路１０の壁面など、照明装置１００の内部に塗布した場合において、活性化光源５５から照射される紫外線が光触媒５３の塗布面に届きにくい場合、照明装置１００の内部にミラーなどの反射部材を適宜配置してもよい。
【００６５】
また、照明装置１００は、イオン発生器１を備えているので、光触媒塗布体５１以外の上記の各光触媒５３の塗布面のうち、照明装置１００の内部の活性化光源５５の光が届かない、光触媒５３の塗布面においては、イオン発生器１が発生するイオンによって光触媒５３を活性化できることが考えられる。
【００６６】
[実施形態２] 
本発明の他の実施形態を図面に基づいて以下に説明する。なお、説明の便宜上、前記の実施形態と同じ機能を有する部材には同じ符号を付し、その説明を省略する。
【００６７】
図９は本実施形態にかかる空気清浄機能を有する照明装置１００の縦断面図である。図９に示すように、本実施形態の照明装置１００は、図２に示した照明装置１００に対して、イオン発生器１およびイオンセンサ１１を備えず、光触媒塗布体５１および活性化光源５５による空気清浄機能のみを有するものとなっている。他の構成は、前記照明装置１００と同様である。なお、本実施形態に示したイオン発生器１およびイオンセンサ１１を備えない構成は、以下に示す他の実施形態の照明装置１００に対しても同様に適用可能である。
【００６８】
本実施形態の照明装置１００は、光触媒塗布体５１および活性化光源５５による空気清浄機能のみを有し、イオン発生器１を備えていないので、さらに小型かつ軽量の構成とすることができる。具体的には、本実施形態の照明装置１００は、イオン発生器１の配置スペースが不要となるので、例えば、ケース４の径すなわち照明装置１００の径を小さくすることができる。また、光触媒塗布体５１を小型化して、ケース４の高さを低くすることができる。
【００６９】
さらに、イオン発生器１を省略し、光触媒塗布体５１および活性化光源５５のみにより空気清浄機能を得るようにしているので、低コストの構成とすることができる。
【００７０】
本実施形態では、殺菌に貢献するのは光触媒塗布体５１だけとなるので、人感センサ２６の検知に係らず活性化光源５５は常に点灯するようにしてもよい。
【００７１】
[実施形態３]
本発明のさらに他の実施形態を図面に基づいて以下に説明する。なお、説明の便宜上、前記の実施形態と同じ機能を有する部材には同じ符号を付し、その説明を省略する。
【００７２】
図１０は、本実施形態にかかる照明装置１００の縦断面図である。図２に示した照明装置１００では、光触媒塗布体５１はファン２の軸部２ａの上面に設けられていた。これに対し、本実施形態の照明装置１００では、光触媒塗布体５１は支持部材５４の下面に設けられ、活性化光源５５はファン２の軸部２ａの上面に設けられている。
【００７３】
また、島部２４および橋部２５の前面側（下面側）を覆う前カバー２８は、カバー２３の下端面よりも下方へ突出した円筒状の延設部２８ａを有している。この延設部２８ａを含む前カバー２８の通風路１０に臨む外周面には、光触媒５３が塗布されている。すなわち、本実施形態の照明装置１００では、前カバー２８に延設部２８ａを形成し、延設部２８ａにも光触媒５３を塗布することにより、光触媒５３の塗布面を増加させ、光触媒５３による空気清浄機能を向上させている。
【００７４】
図１１は、図１０に示した前カバー２８の他の例を示す照明装置１００の縦断面図である。図１１に示すように、延設部２８ａを含む前カバー２８の外周面には、ルーバー部２８ｂを形成してもよい。このような構成では、前カバー２８がルーバー部２８ｂを有することにより、前カバー２８における光触媒５３の塗布面積をさらに増加させ、空気清浄機能をさらに向上することができる。
【００７５】
また、本実施形態の照明装置１００は、前述したように、通風路１０の壁面、ファン２の羽根２ｂなどの空気が接触する部材の表面、および照明装置１００の外周面に光触媒５３が塗布されており、図１０および図１１にはそれら光触媒５３の塗布面を明示している。図１０および図１１に示した照明装置１００の他の構成は、図２に示した照明装置１００と同様である。
【００７６】
本実施形態の照明装置１００では、光触媒塗布体５１と活性化光源５５との上下の位置関係を図２に示した照明装置１００との場合とは逆にしている。しかしながら、このような構成であっても、光触媒塗布体５１の外周面には通風路１０を流れる空気が容易に接触する。したがって、本実施形態の照明装置１００においても、光触媒塗布体５１および活性化光源５５による空気清浄機能を発揮することができる。
【００７７】
また、活性化光源５５による紫外線の照射方向は、吹出口３０の方向とは逆方向であり、活性化光源５５は、通風路１０における吸気口８の下流側位置であって、吸気口８から屈曲した後の位置に設けられている。したがって、活性化光源５５からの照射光すなわち紫外線は、照明装置１００の外部へ漏れ出し難くなっている。
【００７８】
また、照明装置１００では、前カバー２８に延設部２８ａを形成し、延設部２８ａに光触媒５３を塗布するとともに、通風路１０の壁面、ファン２の羽根２ｂなどの空気が接触する部材の表面、および照明装置１００の外周面に光触媒５３を塗布している。これにより、光触媒５３の塗布面を増加させ、光触媒５３による空気清浄機能を向上することができる。
【００７９】
[まとめ]
本発明の態様１にかかる照明装置１００は、照明部３を備え、空気清浄機能を有する照明装置１００において、装置内部を通り、吸気口８から吹出口３０に至る通風路１０と、前記通風路１０に設けられ、前記吸気口８から前記吹出口３０に向かう空気の流れを形成する送風機（ファン２）と、前記通風路１０に設けられ、外周面に光触媒５３が塗布された基体（円錐体５２）を有し、前記基体の径が頂部から底部に向うにしたがって漸次大きくなっている光触媒塗布体５１と、前記基体の前記頂部と前記底部とを通る線上の前記頂部と対向する位置に設けられ、前記光触媒５３に光を照射する活性化光源５５とを備えている。
【００８０】
上記の構成によれば、照明装置１００が空気清浄動作を行う場合には、活性化光源５５が点灯し、送風機が回転する。活性化光源５５が点灯すると、光触媒塗布体５１の光触媒５３は、活性化光源５５から光を照射され、活性化する。また、送風機が回転すると、通風路１０において吸気口８から吹出口３０に向かう空気の流れが形成される。したがって、吸気口８から取り込まれて通風路１０を流れる空気は、光触媒塗布体５１の光触媒５３に接触し、除菌および消臭された後、吹出口３０から装置の外部へ吹き出される。
【００８１】
ここで、光触媒塗布体５１の光触媒５３が塗布されている基体は、頂部から底部に向うにしたがって径が漸次大きくなっており、活性化光源５５は、光触媒塗布体５１の基体の頂部と底部とを通る線上において、頂部と対向する位置に設けられている。したがって、光触媒塗布体５１の光触媒５３には、１個の活性化光源５５によって光を照射可能である。また、光触媒塗布体５１の基体は、小型かつ軽量な部材によって形成可能である。これにより、照明装置１００は、小型かつ軽量の構成とすることができる。
【００８２】
本発明の態様２にかかる照明装置１００は、上記の態様１において、前記光触媒塗布体５１の前記基体（円錐体５２）は、頂部が前記通風路１０の上流側に位置し、底部が前記通風路１０の下流側に位置するように設けられている。
【００８３】
上記の構成によれば、光触媒塗布体５１の基体は、頂部が通風路１０の上流側に位置し、底部が通風路１０の下流側に位置するので、通風路１０の下流側の径が上流側の径よりも漸次大きくなっている。したがって、光触媒塗布体５１の外周面には、通風路１０を流れる空気が効率よく接触でき、空気の除菌および消臭を効率よく行うことができる。
【００８４】
本発明の態様３にかかる照明装置１００は、上記の態様１において、前記活性化光源５５は、前記通風路１０における前記吸気口８の下流側位置であって、前記吸気口８から屈曲した後の位置に設けられ、前記光触媒塗布体５１の前記基体（円錐体５２）は、頂部が前記通風路１０の下流側に位置し、底部が前記通風路１０の上流側に位置するように設けられている。
【００８５】
上記の構成によれば、光触媒塗布体５１の基体は、頂部が通風路１０の下流側に位置し、底部が通風路１０の上流側に位置するので、通風路１０において、活性化光源５５は光触媒塗布体５１よりも通風路１０の下流側に位置し、活性化光源５５からの光は通風路１０の上流側へ照射される。この場合、活性化光源５５は、通風路１０における吸気口８の下流側位置であって、吸気口８から屈曲した後の位置に設けられている。したがって、活性化光源５５からの照射光すなわち紫外線が照明装置１００の外部へは漏れ出す事態を防止することができる。
【００８６】
本発明の態様４にかかる照明装置１００は、上記態様１から態様３のいずれか１態様において、前記吹出口３０における少なくとも一部の部材は、空気の吹出方向へ突出した延設部２８ａを有し、前記延設部２８ａには光触媒５３が塗布されている。
【００８７】
上記の構成によれば、延設部２８ａに塗布された光触媒５３は、例えば、照明装置１００の周りの外光に含まれる紫外線によって活性化する。これにより、光触媒５３の塗布面を増加させ、光触媒５３による空気清浄機能を向上させることができる。
【００８８】
本発明の態様５にかかる照明装置１００は、上記態様１から態様４のいずれか１態様において、イオンを発生し、発生したイオンを前記通風路１０に供給するイオン発生器１を備えている。
【００８９】
上記の構成によれば、光触媒塗布体５１および活性化光源５５、並びにイオン発生器１を備えているので、照明装置１００の内部にて、吸い込んだ空気の除菌および消臭を行い、かつ吹き出した空気（イオンを含む空気）により照明装置１００の周囲の各部の除菌および消臭を行うことができる。これにより、照明装置１００が設置されている場所の空気の除菌および消臭を効率良く行うことができる。
【００９０】
また、照明装置１００は、イオン発生器１を備えているので、光触媒塗布体５１以外の部材に光触媒５３が塗布さている場合に、それら光触媒５３の塗布面のうち、照明装置１００の内部の活性化光源５５の光が届かない、光触媒５３の塗布面においては、イオン発生器１が発生するイオンによって光触媒５３が活性化することが考えられる。
【００９１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９２】
本発明は、特に、トイレや洗面所、あるいは家屋の各部屋などの電灯装着部を備えた個所にて使用する、空気清浄機能付の小型軽量の照明装置として利用することができる。
【符号の説明】
【００９３】
２    ファン（送風機）
２ａ  軸部
２ｂ  羽根
３    照明部
４    ケース
５    アダプタ
６    コネクタ
７    口金
８    吸気口
９    フィルタ
１０    通風路
１１    イオンセンサ
２０    発光素子
２３    カバー
２６    人感センサ
２８    前カバー
２８ａ  延設部
２８ｂ  ルーバー部
２９    後カバー
３０    吹出口
３１    メイン基板
４１    制御部
５１    光触媒塗布体
５２    円錐体（基体）
５３    光触媒
５４    支持部材
５５    活性化光源
１００    空気清浄機能を有する照明装置
【図１】
0006595838.tif 000002
【図２】
0006595838.tif 000003
【図３】
0006595838.tif 000004
【図４】
0006595838.tif 000005
【図５】
0006595838.tif 000006
【図６】
0006595838.tif 000007
【図７】
0006595838.tif 000008
【図８】
0006595838.tif 000009
【図９】
0006595838.tif 000010
【図１０】
0006595838.tif 000011
【図１１】
0006595838.tif 000012